(57)【要約】【課題】      自宅又はレストラン等で数人で食事をする時、さまざまな大きさの、皿盛り料理、その他調味料容器等で食卓上が狭くなる場合がある。食卓上を広く使用するため、上部の空間を利用することを提供する。【解決手段】  円形底板ベース中心上に立ち上げた筒状軸を回転軸とし、その回転軸に対し廻動するようにはめあう筒状軸受けと、下部方向に下部フランジ部を一体に設けた中間台座を通し、更にその上部に、これも上記回転軸にはめあい廻動する軸受け部と最上部に皿受け座となるフランジ部を一体にした皿受け台座を設け、上部空間部に大皿等を置けるようにした。上記中間台座の筒状軸受け部と下部フランジ部は円周数ヶ所の立ち上げリブで補強されており、その仕切空間部に調味料容器等を置けるようにしたことを特徴とする。【選択図】    図１
2007075546.tif 000002
【特許請求の範囲】
【請求項１】
底板ベースから立ち上げた筒状軸受けに、底板ベース上面に回転可能に載せるフランジ部と軸受け部を持った中間台座と、最上部に皿受け座となるフランジ部と軸受け部を持つ皿受け台座を、これも底板ベースから立ち上げた筒状軸受けとはまりあい、回転可能にして構成し、最上部皿受け台に大皿を載せる事を特徴とした皿用台座兼用調味料容器トレィ。
【請求項２】
前記底板ベース上面に回転可能に載せるフランジ部と軸受けを持つ中間台座において、フランジ部から突出する軸受け部は円周数ヶ所の立ち上げリブで補強し、その仕切空間部に調味料容器を置けるようにした事を特徴とする、皿用台座兼用調味料容器トレィ。
【発明の詳細な説明】
【技術分野】
【０００１】  本発明は、少なくとも１枚の皿を上部に持ち上げた状態で置けるようにし、その下部空間を利用することで、食卓上を広く使用出来るようにしたことに関するものである。
【背景技術】
【０００２】  従来、自宅又はレストラン等、数人で食事をする時、さまざまな大きさの皿盛り料理、その他調味料容器等で食卓上が狭くなる時がある。
テーブルによっては収納式の小テーブルが付属したもの、あるいは別物体を取付て面積を増やす方法がとられていたが、限られた食卓上の面積を広く使用するための工夫がなされた器具、道具類はなかった。【０００３】  なお、本発明に関連する公知技術として次の特許文献を挙げることができる。【０００４】
【特許文献１】  特許公開２０００−１９７５５５
【発明の開示】
【発明が解決しようとする課題】
【０００５】  上述の如く、食卓上の限られた面積を有効に利用する工夫がなされた器具、道具類は無かった。【０００６】  本発明はこのような点に鑑みてなされたものであり、別物体で面積を増やすのではなく、食卓上部空間部を利用し、食卓上の限られた面積を有効に使用することを提供する。
【課題を解決する為の手段】
【０００７】  上述の目的を達成する本発明は、食卓上の上部空間部を利用することを解決手段とするため、底部に台座となる円状フランジ部を有し、その中心上に適度高さの筒状軸を立ち上げ、立ち上げた筒状軸の最上部に皿受け座となるフランジ部を設け、このフランジ部に料理など盛りつけた大皿を置く事で、その下部食卓上にできる空間部に小皿等置けることから、食卓上を広く使用できることを特徴とする。
【０００８】  一例として、円形底板ベース中心上に立ち上げた筒状軸を回転軸とし、その回転軸に対し廻動するようにはめあう筒状軸受けと、下部方向に下部フランジ部を一体に設けた中間台座を通し、更にその上部に、これも上記回転軸にはめあい廻動する軸受け部と最上部に皿受け座となるフランジ部を一体にした皿受け台座を設けた。
【０００９】  上記中間台座の筒状軸受け部と下部フランジ部は円周数ヶ所の立ち上げリブで補強されており、その仕切り空間部は調味料容器等の置き場所となる。
【発明の効果】
【００１０】
【００１１】  以上説明したように本発明によれば、料理等を盛りつけた大皿を食卓上部に配置することで、その下部空間を利用し小皿等を置くことと、中間台座の仕切空間部に調味料容器等収納できることから、限られた食卓上の面積を広く使用でき、快適な食生活ににきわめて有効である。
【発明を実施するための最良の形態】
【００１２】  以下、本発明の実施の形態を図面に基づき詳細に説明する。【００１３】  図２に示すように筒状軸２を持つ円形底板ベース１と、下部フランジ部３から立ち上げた、筒状軸２とはまりあう筒状軸受け４と数ヶ所のリブ５で補強された中間台座６と、中間台座６の上部に配置される筒状軸２とはまりあう筒状軸受け７と、その上部に皿受け座となるフランジ部８を一体とした皿受け台座９から構成される。【００１４】  円形底板ベース１と中間台座６と皿受け台座９はそれぞれ分離、組立が可能であり、中間台座６の筒状軸受け４は貫通して筒状軸２に通し、下部フランジ部３の底部は円形底板ベース１の上面に回転可能に円形状リブで部分接地し、単独で回転する。
皿受け台座９は、中間台座６の上方向に配置されるが、筒状軸２の上端部に載せるように、筒状軸受け７の上部は天板１０で仕切られて、筒状軸２の上端部に受け止められて中間台座６と干渉しないで単独に回転する。【００１５】  筒状軸２の上端部は外周より少し太めな環状凸部１１を形成し、数ヶ所に適度高さでスリット１２を設けてある。
皿受け台９の筒状軸受け７のの内面には数ヶ所の内面リブ１３を天板１０の内面上部に対し隙間を設けて形成されている。
筒状軸２に皿受け台９の筒状軸受け７を通す時は、内面リブ１３が環状凸部１１を押しつぶすように通り、筒状軸２の上端と皿受け台９の天板１０内面が当接した時、内面リブ１３と天板１０の内面隙間に環状凸部１１が、スリット１２の効果でスプリンバック現象により嵌合され抜け止めとなる。【００１６】  スリット１２によりスプリング性を持たせてあり、皿受け台９は簡単には抜けないが、汚れて洗いたい時など、少しの力で引き抜く事を考えた設定としてある。【００１７】  皿受け台９を抜き取る事ができれば中間台座６も抜く事ができ、本発明は３体の分離した部品となり、収納しやすく、洗いかたも隅々まで手が届く事になり清潔に使用出来ものである。
【実施例】
【００１７】  図３、図４に示すように皿受け台９のフランジ部８の上に料理を盛りつけた大皿１４を置く事で、その下部に空間ができ、その空間を利用して小皿１５等を中央によせて置くことが可能となり、本発明品がない場合を想定すると、食卓上を広く使用できることが明らかである。【００１８】  又、中間台座６の筒状軸受け４と下部フランジ３を補強しているリブ５の仕切空間部には食卓上に点在している調味料容器等収納できることから、更に食卓を広く利用できることを提供するものである。
【図面の簡単な説明】
【００１９】
【図１】  本発明の斜視図
【図２】  本発明の分解斜視図
【図３】  本発明の使用状態を示す図４の平面図
【図４】  本発明の使用状態を示す側面縦断面図
【図５】  本発明の側面縦断面図
【図６】  本発明の図６の底面図
【符号の説明】
【００２０】  １    円形底板ベース
２    筒状軸
３    下部フランジ部
４    筒状軸受け
５    リブ
６    中間台座
７    筒状軸受け
８    フランジ部
９    皿受け台座
１０    天板
１１    環状凸部
１２    スリット
１３    内面リブ
１４    大皿
１５    小皿
【図１】
2007075546.tif 000003
【図２】
2007075546.tif 000004
【図３】
2007075546.tif 000005
【図４】
2007075546.tif 000006
【図５】
2007075546.tif 000007
【図６】
2007075546.tif 000008